(57)【要約】【課題】  室外側に開閉自在な障子と、網戸とを備え、網戸の枠が室内外側から視認できず、且つ網戸の構造が単純で取り付けが容易な窓を提供する。【解決手段】  障子１と、網戸２と、障子１及び網戸２を納める窓枠３とを備え、障子１は、障子枠１０と、障子枠１０に納めたパネル１１とを備え、障子枠１０の上下に取り付けたステーアーム４１で窓枠３と連結してあって、縦軸周りに回転して室外側に開閉自在であり、窓枠３は、障子１より室内側の左右両側に設けた内周側に開口する嵌合溝３２と、嵌合溝３２の室内側に設けた内周側に延出する立設部３０とを備え、網戸２は、網戸枠２０と、網戸枠２０に納めた網材２１とを備え、嵌合溝３２に、室外側から横けんどん式で挿脱自在に嵌め込んであり、障子枠１０の内周面と、網戸枠２０の内周面と、立設部３０の内周面とが略面一であり、障子枠１０の室内側面と、嵌合溝３２と、立設部３０とが樹脂材料からなる。【選択図】      図１
2010190006.tif 000002
【特許請求の範囲】
【請求項１】
障子と、網戸と、障子及び網戸を納める窓枠とを備え、障子は、障子枠と、障子枠に納めたパネルとを備え、障子枠の上下に取り付けたステーアームで窓枠と連結してあって、縦軸周りに回転して室外側に開閉自在であり、窓枠は、障子より室内側の左右両側に設けた内周側に開口する嵌合溝と、嵌合溝の室内側に設けた内周側に延出する立設部とを備え、網戸は、網戸枠と、網戸枠に納めた網材とを備え、嵌合溝に、室外側から横けんどん式で挿脱自在に嵌め込んであり、障子枠の内周面と、網戸枠の内周面と、立設部の内周面とが略面一であることを特徴とする窓。
【請求項２】
障子枠の室内側面と、嵌合溝と、立設部とが樹脂材料からなることを特徴とする請求項１記載の窓。
【発明の詳細な説明】
【技術分野】
【０００１】
本発明は、室外側に開閉自在な障子と、網戸とを備える窓に関する。
【背景技術】
【０００２】
従来、特許文献１に示すように、室外側に開閉自在な障子と、その室内側に設けた網戸からなる窓がある。このような窓においては、網戸の枠が室内側及び室外側から見えるため意匠性が悪く、また開口部が狭く感じられるという問題があった。そこで、網戸の枠を室内外側から見えないようにした特許文献２の窓が提案されている。この窓において網戸の枠は、室内側から見ると、網戸を納めた窓枠に隠れ、室外側から見ると、障子の枠に隠れて視認できない。網戸の枠は伸縮自在に構成されており、縮めた状態で室内側から窓枠に納めるものである。
【先行技術文献】
【特許文献】
【０００３】
【特許文献１】実公平１−１５８２３号公報
【特許文献２】特開２００７−１７７４３１号公報
【発明の概要】
【発明が解決しようとする課題】
【０００４】
しかしながら、特許文献２の窓は、網戸の枠の伸縮構造により部品点数が多くなりコストが増加することや、伸縮構造が故障することが懸念される。
【０００５】
本発明は、上記事情を鑑みたものであり、室外側に開閉自在な障子と、網戸とを備え、網戸の枠が室内外側から視認できず、且つ網戸の構造が単純で取り付けが容易な窓を提供することを目的とする。
【課題を解決するための手段】
【０００６】
本発明のうち請求項１の発明は、障子と、網戸と、障子及び網戸を納める窓枠とを備え、障子は、障子枠と、障子枠に納めたパネルとを備え、障子枠の上下に取り付けたステーアームで窓枠と連結してあって、縦軸周りに回転して室外側に開閉自在であり、窓枠は、障子より室内側の左右両側に設けた内周側に開口する嵌合溝と、嵌合溝の室内側に設けた内周側に延出する立設部とを備え、網戸は、網戸枠と、網戸枠に納めた網材とを備え、嵌合溝に、室外側から横けんどん式で挿脱自在に嵌め込んであり、障子枠の内周面と、網戸枠の内周面と、立設部の内周面とが略面一であることを特徴とする。
【０００７】
本発明のうち請求項２の発明は、障子枠の室内側面と、嵌合溝と、立設部とが樹脂材料からなることを特徴とする。
【発明の効果】
【０００８】
本発明のうち請求項１の発明によれば、障子枠、網戸枠、立設部のそれぞれの内周面を略面一としたので、室内側及び室外側のどちら側から見た場合でも網戸枠が視認できず、意匠性が良好であり、開口部が広く感じられる。また、網戸は室外側から横けんどん式に嵌め込むので、構造が単純でコストが抑えられ、取り付けも容易である。そして、網戸の脱着に際しては、網戸の下方にステーアームが位置するので、網戸の落下を防ぐことができる。
【０００９】
本発明のうち請求項２の発明によれば、網戸枠が樹脂材料に囲まれたサーマルブレイク構造となっており、断熱性が高い。
【図面の簡単な説明】
【００１０】
【図１】図３のＡ−Ａ線断面図である。
【図２】図３のＢ−Ｂ線断面図である。
【図３】本発明の窓の室内側正面図である。
【図４】網戸の取り付け方法の説明図である。
【発明を実施するための形態】
【００１１】
本発明の窓の具体的な構成について、各図面に基づいて説明する。なお、以下において上下左右とは、窓を室内側から正面視したときの上下左右（すなわち、図３における上下左右）を示すものとする。この窓は、図１〜図３に示すように、上窓枠３１ａ、下窓枠３１ｂ、左縦窓枠３１ｃ及び右縦窓枠３１ｄを四周枠組みして躯体４０の開口部に設けた窓枠３と、窓枠３に納めた障子１及び網戸２からなる、縦すべり出し窓である。
障子１は、四周枠組みした障子枠１０と、障子枠１０に納めたパネル１１とを備える。障子１は上下のステーアーム４１によって窓枠３に取り付けられており、上面視して反時計回りに回転して室外側に９０度まで開くことができる。障子１の開閉は、窓枠３の室内側下部に設けたハンドル５０により行う。ハンドル５０はフリクションアーム４２と連結され、さらにフリクションアーム４２は障子１と連結されており、ハンドル５０を回転させることで障子１を自在に開閉できる。
網戸２は、上網戸枠２２ａ、下網戸枠２２ｂ、左縦網戸枠２２ｃ及び右縦網戸枠２２ｄを四周枠組みした網戸枠２０と、網戸枠２０に納めた網材２１とを備え、障子１の室内側に納めるものである。窓枠３の左縦窓枠３１ｃ及び右縦窓枠３１ｄの障子１より室内側には、それぞれ内周側に向かって開口する嵌合溝３２（左嵌合溝３２ｃ及び右嵌合溝３２ｄ）が設けてあり、網戸２の左縦網戸枠２２ｃを左嵌合溝３２ｃに、右縦網戸枠２２ｄを右嵌合溝３２ｄに嵌め込んである。
そして、窓枠３の網戸２より室内側には、内周側に延出する立設部３０が四周にわたって設けてある。このうち、上窓枠３１ａに設ける立設部３０は、断面略ロ字形の部材からなり、下窓枠３１ｂに設ける立設部３０は、Ｊ字形部材３０ａとＬ字形部材３０ｂの二部材からなるもので、どちらも室内外方向に厚い形状であり、左縦窓枠３１ｃ及び右縦窓枠３１ｄに設ける立設部３０は、板状で室内外方向に薄い形状であるが、何れの立設部３０においても、その内周面が閉鎖状態の障子１の障子枠１０の内周面及び所定位置に取り付けた状態の網戸２の網戸枠２０の内周面と略面一になるように形成されている。このように構成したことで、この窓を室内側から見た場合には、網戸枠２０が立設部３０に隠れて視認できず、室外側から見た場合には、網戸枠２０が障子枠１０に隠れて視認できない。よって、意匠性が良好であり、開口部が広く感じられる。なお、障子枠１０、網戸枠２０及び窓枠３は、何れもアルミニウムの押出型材であるが、障子枠１０の室内側面には樹脂からなる被覆部材１２を取り付けてある。また、嵌合溝３２及び立設部３０も、樹脂からなる（図１及び図２において、樹脂からなる部材にはハッチングを施して示してある）。このように、網戸枠２０を囲う各部材が樹脂材料からなるので、サーマルブレイク構造となっており、断熱性が高い。
【００１２】
このように形成した窓においては、窓枠３の室内側に内周側に延出する立設部３０を設けたことにより、開口部の大きさが網戸２の大きさよりも小さくなるので、網戸２を室内側から窓枠３に嵌め込むことはできない。そこで、本発明の窓は、網戸２を室外側から横けんどん式に嵌め込む。具体的には、図４に示すように、窓枠３の左嵌合溝３２ｃが右嵌合溝３２ｄよりも深く形成してあり、まず障子１を全開にした状態で、網戸２の左縦網戸枠２２ｃを左嵌合溝３２ｃに挿入し（図中ａ〜ｂ）、網戸２を回転させて右縦網戸枠２２ｄを室内側へ寄せ（図中ｃ）、最後に網戸２を右方向へ動かして右縦網戸枠２２ｄを右嵌合溝３２ｄに挿入する（図中ｄ）。
また、網戸２は挿脱自在であり、取り付けと逆の手順により取り外すことが可能である。なお、横けんどん式に嵌め込み可能とするために左嵌合溝３２ｃを右嵌合溝３２ｄよりも深く形成したので、両嵌合溝３２ｃ，３２ｄの間の距離は網戸２の横幅よりも長く、網戸２が左右方向に動いてしまうおそれがあるので、網戸２を所定位置で固定する部材（図示省略）を設けることが望ましい。このように、網戸２を室外側から横けんどん式に嵌め込むようにしたので、構造が単純でコストが抑えられ、取り付けも容易である。そして、障子１を全開にした状態では、障子１の下側端と窓枠３とを連結するステーアーム４１が、網戸２の進入方向に対して直交する向きで、網戸２の下方に位置している。よって、網戸２を、ステーアーム４１上をスライドさせるようにして脱着させることができるので、網戸２の落下を防ぐことができる。
【００１３】
本発明は、上記の実施形態に限定されない。例えば、窓種は縦すべり出し窓のほか、外開き窓など、障子が縦軸周りに回転して室外側に開く窓であれば同様の構成が適用され得る。また、上記実施形態において、両嵌合溝及び立設部は窓枠に別部材として取り付けるものであるが、何れも窓枠と一体に形成するものであってもよい。さらに、立設部は網戸の網戸枠を隠すことができる形状であれば、意匠性などを考慮して自由に設計できる。また、各部を構成する素材は自由であり、障子枠、網戸枠や窓枠はアルミニウム以外の金属や樹脂からなるものであっても良いし、立設部は金属の押出形材であっても良い。
【符号の説明】
【００１４】
１  障子
２  網戸
３  窓枠
１０  障子枠
１１  パネル
２０  網戸枠
２１  網材
３０  立設部
３２  嵌合溝
４１  ステーアーム
【図１】
2010190006.tif 000003
【図２】
2010190006.tif 000004
【図３】
2010190006.tif 000005
【図４】
2010190006.tif 000006